【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
拠点内に設置された少なくとも１以上の管理端末と通信可能な情報処理装置であって、
前記管理端末を介してログインしたユーザの数を取得するログインユーザ取得手段と、
前記拠点内を撮影する撮影装置によって撮影して得られた画像から拠点内のユーザの数を取得するユーザ取得手段と、
前記管理端末を介したログアウトにより変化した前記ログインしたユーザの数と、前記ユーザ取得手段によって取得したユーザの数とに基づいて、前記拠点におけるユーザ状態を管理する管理手段と、
を備えたことを特徴とする情報処理装置。
【請求項２】
前記管理手段は、前記ログインユーザ取得手段によって取得したユーザの数が減少した後、前記ユーザ取得手段によって取得したユーザの数が減少しないとき、前記拠点においてユーザにより不正がなされたとして管理する請求項１に記載の情報処理装置。
【請求項３】
前記管理手段は、前記ログインユーザ取得手段によって取得したユーザの数が減少した後、所定時間、前記ユーザ取得手段によって取得したユーザの数が減少しないとき、前記拠点においてユーザにより不正がなされたとして管理を行うことを特徴とする請求項１または２に記載の情報処理装置。
【請求項４】
前記管理手段は、前記ログインユーザ取得手段によって取得したユーザの数が減少した後、所定時間内に、前記ユーザ取得手段によって取得したユーザの数が減少したとき、前記拠点においてユーザにより不正がなされていないとして管理を行うことを特徴とする請求項１乃至３の何れか１項に記載の情報処理装置。
【請求項５】
前記管理手段は、前記ログインユーザ取得手段によって取得したユーザの数が減少した後、所定時間内に、前記ユーザ取得手段によって取得したユーザの数が減少せずに、前記ログインユーザ取得手段によって取得したユーザの数が増加したとき、前記拠点においてユーザにより不正がなされていないとして管理を行うことを特徴とする請求項１乃至４の何れか１項に記載の情報処理装置。
【請求項６】
前記撮影装置によって撮影して得られた画像から検出されたユーザをログインしたユーザに対応付ける対応付手段を備え、
前記管理手段は、前記対応付手段によってユーザがログインしたユーザに対応付けた結果に基づいて、前記拠点におけるユーザ状態を管理することを特徴とする請求項１乃至５の何れか１項に記載の情報処理装置。
【請求項７】
前記管理手段は、前記対応付手段によって対応付けられないユーザが存在するとき、前記拠点においてユーザにより不正がなされたとして管理することを特徴とする請求項６に記載の情報処理装置。
【請求項８】
前記対応付手段は、前記撮影装置によって撮影して得られた画像から前記拠点において新たに検出されたユーザをログインしたユーザに対応付けることを特徴とする請求項６または７に記載の情報処理装置。
【請求項９】
前記管理手段は、前記新たにユーザが検出されてから所定時間、前記対応付手段によってユーザをログインしたユーザに対応付けられない場合は、前記拠点においてユーザにより不正がなされたとして管理を行うことを特徴とする請求項８に記載の情報処理装置。
【請求項１０】
前記管理手段は、前記新たにユーザが検出されてから所定時間以内に、当該新たに検出されたユーザが拠点を退室した場合、前記拠点においてユーザにより不正がなされたとして管理を行うことを特徴とする請求項８または９に記載の情報処理装置。
【請求項１１】
前記対応付手段は、ログインしているユーザが在席している場合、前記拠点において新たに検出されたユーザをログインしたユーザに対応付けることを特徴とする請求項６乃至１０の何れか１項に記載の情報処理装置。
【請求項１２】
前記管理は、ログインしたユーザの数と拠点内のユーザの数とに基づいて、前記拠点においてユーザにより不正がなされた状態であっても、前記ログインしているユーザが退室している場合は、前記拠点においてユーザにより不正がなされていないとして管理を行うことを特徴とする請求項６乃至１１の何れか１項に記載の情報処理装置。
【請求項１３】
前記撮影装置によって撮影して得られた画像から検出されたユーザに対応付けられたログインしているユーザの情報の表示を制御する表示制御手段を備えたことを特徴とする請求項６乃至１２の何れか１項に記載の情報処理装置。
【請求項１４】
前記表示制御手段は、前記対応付手段によってログインしているユーザに対応付けられたユーザと、対応付けられないユーザとを識別して表示することを制御することを特徴とする請求項１３に記載の情報処理装置。
【請求項１５】
拠点内に設置された少なくとも１以上の管理端末と通信可能な情報処理装置であって、
前記拠点内を撮影する撮影装置によって撮影して得られた画像から検出されたユーザをログインしたユーザに対応付ける対応付手段と、
前記対応付手段によってユーザをログインしたユーザに対応付けた結果に基づいて、前記拠点におけるユーザ状態を管理する管理手段と、
を備えたことを特徴とする情報処理装置。
【請求項１６】
拠点内に設置された少なくとも１以上の管理端末と通信可能な情報処理装置から構成される情報処理システムであって、
前記管理端末は、
ログインに係るユーザ情報を受付ける受付手段と、
前記受付手段によって受付けたユーザ情報を前記情報処理装置のユーザ情報受信手段へ送信する管理端末送信手段と、
を備え、
前記情報処理装置は、
前記管理端末送信手段によって送信されたユーザ情報を受信するユーザ情報受信手段と、
前記ユーザ情報受信手段によって受信したユーザ情報から管理端末によってログインされたユーザの人数を取得するログインユーザ取得手段と、
前記拠点内を撮影する撮影装置によって撮影して得られた画像から前記拠点のユーザの数を取得するユーザ取得手段と、
前記管理端末を介したログアウトにより変化した前記ログインしたユーザの数と、前記ユーザ取得手段によって取得したユーザの数とに基づいて、前記拠点におけるユーザ状態を管理する管理手段と、
を備えたことを特徴とする情報処理システム。
【請求項１７】
拠点内に設置された少なくとも１以上の管理端末と通信可能な情報処理装置の制御方法であって、
前記情報処理装置は、
前記管理端末を介してログインしたユーザの数を取得するログインユーザ取得ステップと、
前記拠点内を撮影する撮影装置によって撮影して得られた画像から拠点内のユーザの数を取得するユーザ取得ステップと、
前記管理端末を介したログアウトにより変化した前記ログインしたユーザの数と、前記ユーザ取得ステップによって取得したユーザの数とに基づいて、前記拠点におけるユーザ状態を管理する管理ステップと、
を実行することを特徴とする情報処理装置の制御方法。
【請求項１８】
拠点内に設置された少なくとも１以上の管理端末と通信可能な情報処理装置で読み取り実行可能なプログラムであって、
前記情報処理装置を、
前記管理端末を介してログインしたユーザの数を取得するログインユーザ取得手段と、
前記拠点内を撮影する撮影装置によって撮影して得られた画像から拠点内のユーザの数を取得するユーザ取得手段と、
前記管理端末を介したログアウトにより変化した前記ログインしたユーザの数と、前記ユーザ取得手段によって取得したユーザの数とに基づいて、前記拠点におけるユーザ状態を管理する管理手段と、
して機能させるためのプログラム。
【請求項１９】
拠点内に設置された少なくとも１以上の管理端末と通信可能な情報処理装置から構成される情報処理システムの制御方法であって、
前記管理端末は、
ログインに係るユーザ情報を受付ける受付ステップと、
前記受付ステップによって受付けたユーザ情報を前記情報処理装置のユーザ情報受信ステップへ送信する管理端末送信ステップと、
を実行し、
前記情報処理装置は、
前記管理端末送信ステップによって送信されたユーザ情報を受信するユーザ情報受信ステップと、
前記ユーザ情報受信ステップによって受信したユーザ情報から管理端末によってログインされたユーザの人数を取得するログインユーザ取得ステップと、
前記拠点内を撮影する撮影装置によって撮影して得られた画像から前記拠点のユーザの数を取得するユーザ取得ステップと、
前記管理端末を介したログアウトにより変化した前記ログインしたユーザの数と、前記ユーザ取得ステップによって取得したユーザの数とに基づいて、前記拠点におけるユーザ状態を管理する管理ステップと、
を実行することを特徴とする情報処理システムの制御方法。
【手続補正２】
【補正対象書類名】明細書
【補正対象項目名】００１０
【補正方法】変更
【補正の内容】
【００１０】
本発明の目的は、拠点におけるセキュリティの管理を効率的に行うことが可能な仕組みを提供することを目的とする。
【手続補正３】
【補正対象書類名】明細書
【補正対象項目名】００１１
【補正方法】変更
【補正の内容】
【００１１】
上記の課題を解決するための第１の発明は、拠点内に設置された少なくとも１以上の管理端末と通信可能な情報処理装置であって、前記管理端末を介してログインしたユーザの数を取得するログインユーザ取得手段と、前記拠点内を撮影する撮影装置によって撮影して得られた画像から拠点内のユーザの数を取得するユーザ取得手段と、前記管理端末を介したログアウトにより変化した前記ログインしたユーザの数と、前記ユーザ取得手段によって取得したユーザの数とに基づいて、前記拠点におけるユーザ状態を管理する管理手段と、を備えたことを特徴とする情報処理装置である。
【手続補正４】
【補正対象書類名】明細書
【補正対象項目名】００１２
【補正方法】変更
【補正の内容】
【００１２】
上記の課題を解決するための第２の発明は、拠点内に設置された少なくとも１以上の管理端末と通信可能な情報処理装置から構成される情報処理システムであって、前記管理端末は、ログインに係るユーザ情報を受付ける受付手段と、前記受付手段によって受付けたユーザ情報を前記情報処理装置のユーザ情報受信手段へ送信する管理端末送信手段と、を備え、前記情報処理装置は、前記管理端末送信手段によって送信されたユーザ情報を受信するユーザ情報受信手段と、前記ユーザ情報受信手段によって受信したユーザ情報から管理端末によってログインされたユーザの人数を取得するログインユーザ取得手段と、前記拠点内を撮影する撮影装置によって撮影して得られた画像から前記拠点のユーザの数を取得するユーザ取得手段と、前記管理端末を介したログアウトにより変化した前記ログインしたユーザの数と、前記ユーザ取得手段によって取得したユーザの数とに基づいて、前記拠点におけるユーザ状態を管理する管理手段と、を備えたことを特徴とする情報処理システムである。
【手続補正５】
【補正対象書類名】明細書
【補正対象項目名】００１３
【補正方法】変更
【補正の内容】
【００１３】
上記の課題を解決するための第３の発明は、拠点内に設置された少なくとも１以上の管理端末と通信可能な情報処理装置の制御方法であって、前記情報処理装置は、前記管理端末を介してログインしたユーザの数を取得するログインユーザ取得ステップと、前記拠点内を撮影する撮影装置によって撮影して得られた画像から拠点内のユーザの数を取得するユーザ取得ステップと、前記管理端末を介したログアウトにより変化した前記ログインしたユーザの数と、前記ユーザ取得ステップによって取得したユーザの数とに基づいて、前記拠点におけるユーザ状態を管理する管理ステップと、を実行することを特徴とする情報処理装置の制御方法である。
【手続補正６】
【補正対象書類名】明細書
【補正対象項目名】００１４
【補正方法】変更
【補正の内容】
【００１４】
上記の課題を解決するための第４の発明は、拠点内に設置された少なくとも１以上の管理端末と通信可能な情報処理装置で読み取り実行可能なプログラムであって、前記情報処理装置を、前記管理端末を介してログインしたユーザの数を取得するログインユーザ取得手段と、前記拠点内を撮影する撮影装置によって撮影して得られた画像から拠点内のユーザの数を取得するユーザ取得手段と、前記管理端末を介したログアウトにより変化した前記ログインしたユーザの数と、前記ユーザ取得手段によって取得したユーザの数とに基づいて、前記拠点におけるユーザ状態を管理する管理手段と、して機能させるためのプログラムである。
【手続補正７】
【補正対象書類名】明細書
【補正対象項目名】００１５
【補正方法】変更
【補正の内容】
【００１５】
上記の課題を解決するための第５の発明は、拠点内に設置された少なくとも１以上の管理端末と通信可能な情報処理装置から構成される情報処理システムの制御方法であって、前記管理端末は、ログインに係るユーザ情報を受付ける受付ステップと、前記受付ステップによって受付けたユーザ情報を前記情報処理装置のユーザ情報受信ステップへ送信する管理端末送信ステップと、を実行し、前記情報処理装置は、前記管理端末送信ステップによって送信されたユーザ情報を受信するユーザ情報受信ステップと、前記ユーザ情報受信ステップによって受信したユーザ情報から管理端末によってログインされたユーザの人数を取得するログインユーザ取得ステップと、前記拠点内を撮影する撮影装置によって撮影して得られた画像から前記拠点のユーザの数を取得するユーザ取得ステップと、前記管理端末を介したログアウトにより変化した前記ログインしたユーザの数と、前記ユーザ取得ステップによって取得したユーザの数とに基づいて、前記拠点におけるユーザ状態を管理する管理ステップと、を実行することを特徴とする情報処理システムの制御方法である。
【手続補正８】
【補正対象書類名】明細書
【補正対象項目名】００１６
【補正方法】削除
【補正の内容】